(57)【要約】      （修正有）【課題】高齢者や障害により片手の不自由な者でもトイレットペーパーを容易に切断することができるトイレットペーパーホルダーを提供する。【解決手段】ロール状トイレットペーパーを回転可能に保持するトイレットペーパーホルダーであって、ロール状トイレットペーパーの正面側下部に設けたカッター４の正面側縁部によりロール状トイレットペーパーを切断可能である。板バネ５がカッター４の上部後端側に取り付けられている。板バネ５は上部後端側から正面側にかけてカッター４から離れるよう伸び、カッター４の側に押されたとき元の位置に戻る弾力性を有する。【選択図】図１
0003207787.tif 000002
【実用新案登録請求の範囲】
【請求項１】
ロール状トイレットペーパーを回転可能に保持し、前記ロール状トイレットペーパーの正面側下部に設けたカッターの正面側縁部により前記ロール状トイレットペーパーを切断可能なトイレットペーパーホルダーであって、板バネを有し、前記板バネは前記カッターの上部後端側に取り付けられ、前記上部後端側から正面側にかけて前記カッターから離れるよう伸び、カッター側に押されたとき元の位置に戻る弾力性を有することを、
特徴とするトイレットペーパーホルダー。
【請求項２】
本体ケースと取付部とを有し、
前記本体ケースは、内部に前記ロール状トイレットペーパーを回転可能に収容するよう設けられ、正面側に前記ロール状トイレットペーパーを取出し可能な開口を有し、
前記取付部は前記本体ケースの背面に対して前記本体ケースを上下反転できるよう回転可能に取り付けられていることを、
特徴とする請求項１記載のトイレットペーパーホルダー。
【請求項３】
前記本体ケースは上部が背面に対して蝶番により開閉可能に設けられていることを、
特徴とする請求項２記載のトイレットペーパーホルダー。
【請求項４】
前記カッターの外側面を覆うカバーを有し、前記カバーは前記カッターから離して底面を前記本体ケースの底面に着脱可能に設けられていることを、
特徴とする請求項２または３記載のトイレットペーパーホルダー。
【考案の詳細な説明】
【技術分野】
【０００１】
本考案は、トイレットペーパーホルダーに関する。
【背景技術】
【０００２】
高齢者あるいは障害により片手の不自由な者の中には、トイレを使用するとき、ロール状トイレットペーパーを引き出して切断するのが困難な者がいる。そのような者でも片手だけでトイレットペーパーを引き出して切断することができるよう、カバー先端に二等辺三角形の形状をした紙切り部を備えたトイレットペーパーホルダーが開示されている（例えば、特許文献１参照）。
【先行技術文献】
【特許文献】
【０００３】
【特許文献１】特開２００５−５２２０７号公報
【考案の概要】
【考案が解決しようとする課題】
【０００４】
しかしながら、トイレットペーパーの切断が困難な高齢者らにとって、カバー先端の形状を二等辺三角形にしただけでは、トイレットペーパーがカバーにまとわりつくため、まだまだ切断しにくいという課題があった。
【０００５】
本考案は、このような課題に着目してなされたもので、高齢者や障害により片手の不自由な者でもトイレットペーパーを容易に切断することができるトイレットペーパーホルダーを提供することを目的とする。
【課題を解決するための手段】
【０００６】
上記目的を達成するために、本考案に係るトイレットペーパーホルダーは、ロール状トイレットペーパーを回転可能に保持し、前記ロール状トイレットペーパーの正面側下部に設けたカッターの正面側縁部により前記ロール状トイレットペーパーを切断可能なトイレットペーパーホルダーであって、板バネを有し、前記板バネは前記カッターの上部後端側に取り付けられ、前記上部後端側から正面側にかけて前記カッターから離れるよう伸び、カッター側に押されたとき元の位置に戻る弾力性を有することを、特徴とする。
【０００７】
本考案に係るトイレットペーパーホルダーは、カッターがトイレットペーパーの下側に配置されるため、高齢者や障害により片手の不自由な者でもトイレットペーパーを切断しやすくなる。カッターがトイレットペーパーの上側にある場合、トイレットペーパーの端を上方に持ち上げる動作が必要であるが、上方に持ち上げる動作は高齢者らにはしづらい。これに対し、トイレットペーパーの端を下に下げる動作はしやすく、トイレットペーパーを切断しやすくなる。
【０００８】
本考案に係るトイレットペーパーホルダーは、トイレットペーパーをカッターに当てて切断するとき、カッターの下側でカッターにまとわりつくトイレットペーパーを板バネで弾力的に押し戻してカッターから離す。このため、高齢者や障害により片手の不自由な者でも、次にトイレットペーパーを引き出すとき、トイレットペーパーの端がつまみやすく、トイレットペーパーを容易に切断することができる。カッターは、一般に使用されるトイレットペーパーホルダーに取り付けられてもよい。
【０００９】
本考案に係るトイレットペーパーホルダーは、本体ケースと取付部とを有し、前記本体ケースは、内部に前記ロール状トイレットペーパーを回転可能に収容するよう設けられ、正面側に前記ロール状トイレットペーパーを取出し可能な開口を有し、前記取付部は前記本体ケースの背面に対して前記本体ケースを上下反転できるよう回転可能に取り付けられていることが好ましい。
この場合、取付部をトイレの壁に取り付けて使用する。取付部により本体ケースを上下反転できるため、好みによりカッターを下側に配置したり上側に配置したり選択して使用することができる。
【００１０】
前記本体ケースは上部が背面に対して蝶番により開閉可能に設けられていることが好ましい。
この場合、上部を蝶番で開いて上部からトイレットペーパーを内部に収容しやすい。
【００１１】
本考案に係るトイレットペーパーホルダーは、前記カッターの外側面を覆うカバーを有し、前記カバーは前記カッターから離して底面を前記本体ケースの底面に着脱可能に設けられていることが好ましい。
この場合、カッターを上側に配置して使用したとき、カバーがカッターの外側面を覆うので、カッターで手を傷付けにくい。カッターが下側に配置される場合には、本体ケースの底面に、カバーを垂れ下がらないよう取り付けておくことができる。
【考案の効果】
【００１２】
本考案によれば、高齢者や障害により片手の不自由な者でもトイレットペーパーを容易に切断することができるトイレットペーパーホルダーを提供することができる。
【図面の簡単な説明】
【００１３】
【図１】本考案の実施の形態のトイレットペーパーホルダーの正面側斜視図である。
【図２】図１のトイレットペーパーホルダーの使用状態を示す斜視図である。
【図３】図１のトイレットペーパーホルダーの背面図である。
【図４】図１のトイレットペーパーホルダーの底面図である。
【図５】図１のトイレットペーパーホルダーのカッターの斜視図である。
【図６】図５のカッターの側面図である。
【考案を実施するための形態】
【００１４】
以下、図面に基づき本考案の実施の形態について説明する。
図１〜図６は、本考案の実施の形態を示している。
図１に示すように、本考案の実施の形態のトイレットペーパーホルダーは、本体ケース１と、支持棒２と、取付部３と、カッター４と、板バネ５と、カバー６とを有している。本体ケース１は、正面に開口１１を有する箱状であって、図２に示すように、ロール状トイレットペーパーＴを、芯を水平にして収容可能となっている。トイレットペーパーＴは、開口１１から取り出して使用することができる。
【００１５】
本体ケース１の内側下部には、ロール状トイレットペーパーＴの両端面に沿うよう突出する１対のガイド１２が対向して設けられている。ガイド１２によりトイレットペーパーＴのズレを防止することができる。本体ケース１は、薄い鉄板またはステンレス板から成っても、アクリル樹脂などのプラスチック板から成ってもよい。本体ケース１は、上部１３が背面１４に対して蝶番１５により開閉可能に設けられている。蝶番１５は、バネを有し、上部１３を常時閉じた状態に付勢するようになっている。本体ケース１は、両側部に横方向に細長い貫通孔１６をそれぞれ有している。
【００１６】
支持棒２は、両端が貫通孔１６より短い長さで折れ曲がっている。支持棒２は、本体ケース１の内部を横断するよう両端が貫通孔１６に挿入されて着脱可能に取り付けられる。支持棒２は、ロール状トイレットペーパーＴの芯に挿入されてロール状トイレットペーパーＴを回転可能に保持する。
【００１７】
カッター４は、本体ケース１の下部に一体的に設けられ、二等辺三角形の板状をなしている。カッター４は、本体ケース１の下部から傾斜して開口１１の正面側に伸びるよう設けられ、二等辺三角形の頂点４１を正面側に突出させている。カッター４は、ロール状トイレットペーパーＴの正面側下部に配置され、正面側縁部によりロール状トイレットペーパーＴを切断可能である。特、カッター４の二等辺三角形の頂点４１をトイレットペーパーＴに突き刺すことにより、ミシン目がないトイレットペーパーＴでも容易に切断することができる。
【００１８】
板バネ５は、薄い鉄板またはステンレス板から成り、カッター４とほぼ同一の二等辺三角形の形状でカッター４よりやや小さい大きさのバネ部５１と、二等辺三角形の底辺に沿った貼付部５２とから成っている。貼付部５２は、バネ部５１に対し傾斜している。板バネ５は、貼付部５２で二等辺三角形の底辺をカッター４の底辺に沿わせるよう、カッター４の上部後端側に貼り付けられている。板バネ５は、カッター４の上部後端側から正面側の頂点４１にかけてカッター４から離れるよう傾斜して伸び、カッター４の側に押されたとき元の位置に戻る弾力性を有している。
【００１９】
取付部３は、板状であって、図３に示すように、背面に両面テープ３１が貼り付けられている。取付部３は、本体ケース１の背面１４の中心にボルト３２およびナット３３で回転可能に取り付けられている。図１に示すように、背面１４には、ボルト３２を中心とした半円の円弧状の溝孔１７が形成されている。取付部３には、本体ケース１の内側から溝孔１７と係合するようにビス１８が取り付けられている。これにより、取付部３に対して本体ケース１を上下反転させることができる。
【００２０】
カバー６は、カッター４より一回り大きな形状を有している。カバー６は、カッター４の外側面を覆うよう本体ケース１の底面に取り付けられている。図４に示すように、カバー６の底面および本体ケース１の底面には、互いに着脱可能な面ファスナー６１，６２が貼り付けられている。これにより、カバー６は、カッター４から離して底面を本体ケース１の底面に着脱可能となっている。
【００２１】
次に、作用について説明する。
本考案の実施の形態のトイレットペーパーホルダは、取付部３をトイレの壁に取り付けて使用する。取付部３により本体ケース１を上下反転できるため、好みによりカッター４を下側に配置したり上側に配置したり選択して使用することができる。カッター４を下側に配置した場合には、カバー６の底面に貼り付けられた面ファスナー６１と、本体ケース１の底面に貼り付けられた面ファスナー６２とを互いに貼り付けて、カバー６を垂れ下がらないよう本体ケース１に取り付けておくことができる。
【００２２】
高齢者や障害により片手の不自由な者が使用する場合、カッター４を下側に配置する。トイレットペーパーＴをつまんで引き出したらならば、下側のカッター４の二等辺三角形の頂点４１をトイレットペーパーＴに突き刺す。これにより、ミシン目がないトイレットペーパーＴでも容易に切断することができる。
【００２３】
カッター４がトイレットペーパーＴの下側に配置される場合、高齢者や障害により片手の不自由な者でもトイレットペーパーＴを切断しやすくなる。カッター４がトイレットペーパーＴの上側にある場合、トイレットペーパーＴの端を上方に持ち上げる動作が必要であるが、上方に持ち上げる動作は高齢者らにはしづらい。これに対し、トイレットペーパーＴの端を下に下げる動作はしやすく、トイレットペーパーＴを切断しやすくなる。
【００２４】
また、トイレットペーパーホルダーは、トイレットペーパーＴをカッター４に当てて切断するとき、カッター４の下側でカッター４にまとわりつくトイレットペーパーＴを板バネ５で弾力的に押し戻してカッター４から離す。このため、高齢者や障害により片手の不自由な者でも、次にトイレットペーパーＴを引き出すとき、トイレットペーパーＴの端がつまみやすく、トイレットペーパーＴを容易に切断することができる。
【００２５】
トイレットペーパーＴを補充する際には、本体ケース１は上部１３が背面１４に対して蝶番１５により開閉可能に設けられているので、上部１３を蝶番１５で開いて上部１３からトイレットペーパーＴを内部に収容しやすい。
カッター４を上側に配置して使用したときには、カバー６がカッター４の外側面を覆うので、カッター４で手を傷付けにくい。
【００２６】
なお、カッター４は、一般に使用されるトイレットペーパーホルダーのカバー６に貼り付けて取り付けられてもよい。この場合、図５および図６に示すように、カッター４は、両側にガイド４２を有し、裏側に板バネ５が貼り付けられている。
【符号の説明】
【００２７】
Ｔ  ロール状トイレットペーパー
１  本体ケース
２  支持棒
３  取付部
４  カッター
５  板バネ
６  カバー
１１  開口
１２  ガイド
１３  上部
１４  背面
１５  蝶番
１６  貫通孔
１７  溝孔
３１  両面テープ
３２  ボルト
３３  ナット
４１  頂点
５１  バネ部
５２  貼付部
６１，６２  面ファスナー
【図１】
0003207787.tif 000003
【図２】
0003207787.tif 000004
【図３】
0003207787.tif 000005
【図４】
0003207787.tif 000006
【図５】
0003207787.tif 000007
【図６】
0003207787.tif 000008